(57)【要約】【課題】バックアップ用電源を内蔵しない電気機器に於いて、電源交換前後のタイムラグを小さくする。【解決手段】電気機器は、電池１と、該電池１から給電されるＣＰＵ２と、該ＣＰＵ２に繋がって機器の状態情報を表示する表示部４と、機器の状態情報を格納するメモリ手段を設けている。ＣＰＵ２は、電池１からの電圧レベルを一定周期毎に検出する機能と、検出した電圧レベルが、所定値以下であるときは、メモリ手段に状態情報を格納する周期を短くする機能を有する。【選択図】    図１
2004259230.tif 000002
【特許請求の範囲】
【請求項１】
電池（１）と、該電池（１）から給電されるＣＰＵ（２）と、該ＣＰＵ（２）に繋がって機器の状態情報を表示する表示部（４）と、機器の状態情報を格納するメモリ手段を設けた電気機器に於いて、
ＣＰＵ（２）は、電池（１）からの電圧レベルを検出するチェック機能と、検出した電圧レベルに応じてメモリ手段に状態情報を格納する機能を有することを特徴とする電気機器。
【請求項２】
ＣＰＵ（２）には、所定の電圧レベルであるしきい値が格納され、ＣＰＵ（２）は当初一定周期にて電圧レベルを検出し、該電圧レベルがしきい値以下であるときに、メモリ手段に状態情報を格納すべき周期を短くする請求項１に記載の電気機器。
【請求項３】
ＣＰＵ（２）には、所定の電圧レベルであるしきい値が格納され、ＣＰＵ（２）は電圧レベルがしきい値以下であるときに、一定レベル毎の電圧低下を検出する度に、メモリ手段に状態情報を格納する請求項１に記載の電気機器。
【請求項４】
メモリ手段は、不揮発性のメモリ（３）である請求項１乃至３の何れかに記載の電気機器。
【請求項５】
電池（１）と、該電池（１）から給電されるＣＰＵ（２）と、該ＣＰＵ（２）に繋がって機器の状態情報を表示する表示部（４）と、機器の状態情報を格納するメモリ手段を設け、
ＣＰＵ（２）が電池（１）からの電圧レベルを一定周期毎に検出する工程と、
検出した電圧レベルが、所定値以下であるときは、メモリ手段に状態情報を格納する周期を短くする工程を有する情報格納方法。
【発明の詳細な説明】
【０００１】
【発明の属する技術分野】
本発明は、時刻や動作状態等の状態情報を、一時的に格納することができる電気機器、及びその情報格納方法に関する。
【０００２】
【従来の技術】
従来から時刻や動作状態等の状態情報を、一時的に格納することができる電気機器として、図４に示すものが提案されている（例えば、特許文献１参照）。
これは、携帯電話機であり、電池（１）は携帯電話の主回路（図示せず）に給電するとともに、タイマー機能を有するＣＰＵ（２）、時刻を表示する表示部（４）及び一時的に情報を格納しておく不揮発性のメモリ（３）に第１のダイオード（８）を介して給電している。ＣＰＵ（２）はマイクロコンピュータであり、周知の如く、動作クロックを分周してタイマーとしている。
ＣＰＵ（２）及びメモリ（３）には、また、第２のダイオード（８０）を介して、バックアップ用電池（６）が接続されており、バックアップ用電池（６）及び電池（１）の何れから給電されるかは、電圧差による。即ち、電池（１）からの給電電圧が、バックアップ用電池（６）の電圧よりも高いときは、電池（１）からＣＰＵ（２）及びメモリ（３）に給電され、電池（１）からの給電電圧が、バックアップ用電池（６）の電圧よりも低いときは、バックアップ用電池（６）からＣＰＵ（２）及びメモリ（３）に給電される。ＣＰＵ（２）はメモリ（３）に現在時刻及び通話状態等の状態情報を格納する。電池（１）を交換する際には、バックアップ用電池（６）から給電されるから時計が停止しない。また、誤って電池（１）を外したまま放置し、バックアップ用電池（６）が消耗しても、メモリ（３）には消耗直前の時刻が格納され、電池（１）を再び入れたときに、該消耗直前の時刻が表示される。バックアップ用電池（６）に代えて、コンデンサを内蔵したものもある。
【０００３】
【特許文献１】
特開平１０−１４５５２７号（第２図）
【０００４】
【発明が解決しようとする課題】
斯種電気機器には、一層の小型化が求められており、バックアップ用電池（６）を収納するスペースが無いものがある。このような機器にあっては、時刻を一定時間毎にメモリ（３）に記憶しておく。電池（１）を交換した後には、交換前の最新の時刻を表示する。この表示時刻を手動で修正するのが一般的である。
しかし、電池（１）を交換する前の最新の時刻と、交換した後の現在時刻とでは、タイムラグがあり、このタイムラグが大きいと手動で修正する手間が掛かる。即ち、秒や分単位でタイムラグを修正するのと、日時まで修正するのとでは、日時まで修正する方が手間が掛かる。
本発明の目的は、バックアップ用電源を内蔵しない電気機器に於いて、電源交換前後のタイムラグを小さくすることにある。
【０００５】
【課題を解決する為の手段】
電気機器は、電池（１）と、該電池（１）から給電されるＣＰＵ（２）と、該ＣＰＵ（２）に繋がって機器の状態情報を表示する表示部（４）と、機器の状態情報を格納するメモリ手段を設けている。
ＣＰＵ（２）は、電池（１）からの電圧レベルを一定周期毎に検出する機能と、
検出した電圧レベルが、所定値以下であるときは、メモリ手段に状態情報を格納する周期を短くする機能を有する。
【０００６】
【作用及び効果】
本発明の機器では、電池（１）の容量が残り少なくなるにつれ、メモリ（３）にバックアップすべき周期を短くしている。これにより、電池（１）が消耗した際にも、メモリ（３）内には消耗する直前の状態情報が格納されており、電池（１）を交換した後に、使用者が手動で時刻を再度設定する際に手間が掛からない。即ち、秒又は分単位で時刻を修正できる。また、従来のように、バックアップ用電池（６）を設けていないことにより、機器の小型化を図ることができる。
【０００７】
【発明の実施の形態】
（全体構成）
以下、本発明の一例を図を用いて詳述する。
図１は、本例の電気機器の内部ブロック図である。これは、音声を半導体メモリに格納するＩＣレコーダー又はボイスレコーダーに関し、電池（１）及びＣＰＵ（２）は、半導体メモリを駆動する主回路（９）に繋がっている。電池（１）はまた、不揮発性のメモリ（３）にも給電し、機器全体の小型化の為に、従来のようなバックアップ用電池（６）は設けられていない。ＣＰＵ（２）に繋がった表示部（４）には、時刻、日時の他に、機器の動作状態である再生モード、再生位置や記録中である旨が表示され、これらの時刻及び動作状態の情報は、メモリ（３）に格納される。メモリ（３）が不揮発性であるから、電池（１）を外しても、メモリ（３）に格納された情報は消去されない。
【０００８】
ＣＰＵ（２）には、第１、第２の補助メモリ（５）（５０）が接続されており、第１の補助メモリ（５）に電圧レベルの値であるＶ１、Ｖ２が格納されている。電圧レベルＶ１、Ｖ２は未使用の電池（１）の電圧レベルよりも低い値であり、Ｖ１＞Ｖ２である。電圧のレベルは２種類に限定されず、３種類以上であってもよい。また、第２の補助メモリ（５０）には、時刻等の情報をバックアップする周期であるｔ１、ｔ２、ｔ３が格納されている。周期の長さは、ｔ１＞ｔ２＞ｔ３であり、周期ｔ１にてメモリ（３）内の情報を更新しても、メモリ（３）の寿命には大きく影響しない。周期も３種類に限定されない。
更に、図１では、ＣＰＵ（２）に第１、第２の補助メモリ（５）（５０）を設けているが、ＣＰＵ（２）内のメモリ（図示せず）にＶ１、Ｖ２、ｔ１、ｔ２、ｔ３の値を格納してもよい。
また、図２に示すように、第１の補助メモリ（５）の代わりに、２つのコンパレータ（７）（７０）を設け、各コンパレータ（７）（７０）の一方の入力端子に夫々Ｖ１、Ｖ２を給電し、他方の入力端子に電池（１）からの電圧を入力してもよい。各コンパレータ（７）（７０）の出力端子をＣＰＵ（２）に接続すれば、コンパレータ（７）（７０）の反転、非反転にて電池（１）の電圧レベルを検出することができる。
【０００９】
（動作）
以下に、本例の電気機器の動作を、図３のフローチャートを用いて説明する。ＣＰＵ（２）は、先ず電池（１）からの電圧レベルを検出する（Ｓ１）。この電圧レベルが、Ｖ１を超えていれば、周期ｔ１毎に時刻等の情報をメモリ（３）に格納し、バックアップする（Ｓ２）。
電圧レベルがＶ１以下であれば（Ｓ３）、ＣＰＵ（２）は、周期ｔ２で時刻等の情報をメモリ（３）に格納する（Ｓ４）。即ち、電圧レベルが下がり、電池（１）が消耗し始めたときには、周期ｔ１より短いｔ２にてバックアップする。
電圧レベルがＶ２以下であれば（Ｓ５、Ｓ６）、ＣＰＵ（２）は、周期ｔ２よりも短いｔ３でバックアップする（Ｓ７）。表示部（４）に電池（１）の容量が残り少ないことを表示し、使用者に電池（１）の交換を促してもよい。
本例の機器では、電池（１）の容量が残り少なくなるにつれ、バックアップすべき周期を短くしている。これにより、電池（１）が消耗した際にも、メモリ（３）内には消耗する直前の時刻等の情報が格納されており、電池（１）を交換した後に、使用者が手動で時刻を再度設定する際に手間が掛からない。即ち、秒又は分単位で時刻を修正できる。また、従来のように、バックアップ用電池（６）を設けていないことにより、機器の小型化を図ることができる。
【００１０】
尚、タイムラグを小さくするには、短時間の一定周期でメモリ（３）に時間を記憶することも考えられる。しかし、メモリ（３）の書き込み回数には上限があり、短時間毎に時刻を保存するのは、メモリ（３）の寿命を短くし、消費電力も増える。本例にあっては、時刻等の情報をバックアップする周期を電圧レベルが下がるにつれ、徐々に短くすることにより、消費電力を抑え、メモリ（３）の寿命を上げている。
【００１１】
本例にあっては、ＣＰＵ（２）は当初一定周期ｔ１毎に電圧レベルをチェックし、検出した電圧レベルに応じて周期をｔ２、ｔ３と短く変えている。しかし、これに代えて、ＣＰＵ（２）は常に電圧レベルをチェックし、電圧レベルが一定値以下となると、一定レベル毎の電圧低下を検出する度に、メモリ（３）に時刻を格納してもよい。
例えば、未使用の電池（１）の電圧が５Ｖであった際に、電圧レベルが３Ｖまで低下すると、その後は、２．９Ｖ、２．８Ｖと０．１Ｖ単位で電圧レベルが下がる度に、時刻をメモリ（３）に格納し、バックアップしてもよい。
更に、電圧レベルが一定値以下となると、一定レベル毎の電圧低下を検出する周期を短くしてもよい。即ち、一定周期にてバックアップする上記第１の方法と、電圧レベルをチェックする上記第２の方法とを組み合わせてもよい。
【００１２】
上記実施例の説明は、本発明を説明するためのものであって、特許請求の範囲に記載の発明を限定し、或は範囲を減縮する様に解すべきではない。又、本発明の各部構成は上記実施例に限らず、特許請求の範囲に記載の技術的範囲内で種々の変形が可能であることは勿論である。
【図面の簡単な説明】
【図１】電気機器の内部ブロック図である。
【図２】電気機器の別の内部ブロック図である。
【図３】電気機器の動作を示すフローチャートである。
【図４】従来の電気機器の内部ブロック図である。
【符号の説明】
（１）    電池
（２）    ＣＰＵ
（３）    メモリ
（４）    表示部
【図１】
2004259230.tif 000003
【図２】
2004259230.tif 000004
【図３】
2004259230.tif 000005
【図４】
2004259230.tif 000006